(57)【要約】【課題】一般家庭、介護現場はもとより、食品生産工場、製造ラインの職場環境、倉庫、精密部品の製造現場などの画像データとともに大気の温度データ、湿度データなどを同時に転送できるようにし、現場の状況判断を正確に行うことができ、熱中症、静電気発生の警告が可能となるようにする。【解決手段】屋内外に設置して得られた特定環境の画像データを有線または無線により転送可能となるようにした監視カメラに対し、前記画像データとともに環境データを同時に転送できるようにする。【選択図】図１
2015095754.tif 000002
【特許請求の範囲】
【請求項１】
屋内外に設置して得られた特定環境の画像データを有線または無線により転送可能となるようにした監視カメラに対し、前記画像データとともに環境データを同時に転送できるようにしたことを特徴とする監視カメラの機能拡張ユニット。
【請求項２】
前記機能拡張ユニットに温度センサーおよび湿度センサーを備え、環境データとして温度データおよび湿度データが得られるようにし、該温度データおよび湿度データから熱中症指数の生成が可能となるようにしたことを特徴とする請求項１記載の監視カメラの機能拡張ユニット。
【請求項３】
前記機能拡張ユニットに熱中症指数の生成プログラムを搭載したことを特徴とする請求項２記載の監視カメラの機能拡張ユニット。
【請求項４】
前記機能拡張ユニットに温度センサーおよび湿度センサーを備え、環境データとして温度データおよび湿度データが得られるようにし、該温度データおよび湿度データから静電気発生指数の生成が可能となるようにしたことを特徴とする請求項１記載の監視カメラの機能拡張ユニット。
【請求項５】
前記機能拡張ユニットに静電気発生指数の生成プログラムを搭載したことを特徴とする請求項４記載の監視カメラの機能拡張ユニット。
【請求項６】
前記機能拡張ユニットの温度センサーおよび湿度センサーがケース仕切板上に配置されていることを特徴とする請求項２または請求項４記載の監視カメラの機能拡張ユニット。
【請求項７】
前記機能拡張ユニットに、風速、照度、二酸化炭素、放射線量を検出できるセンサーの何れかを備えていることを特徴とする請求項１記載の監視カメラの機能拡張ユニット。
【請求項８】
前記機能拡張ユニットにＵＳＢコネクタを備え、監視カメラ本体との接続が可能となるようにしたことを特徴とする請求項１記載の監視カメラの機能拡張ユニット。
【請求項９】
前記機能拡張ユニットにマルチコネクタを備え、監視カメラ本体との接続が可能となるようにしたことを特徴とする請求項１記載の監視カメラの機能拡張ユニット。
【請求項１０】
前記機能拡張ユニットを延長ケーブルにより監視カメラ本体に接続するようにしたことを特徴とする請求項１記載の監視カメラの機能拡張ユニット。
【発明の詳細な説明】
【技術分野】
【０００１】
本発明は、屋内外に設置して得られた特定環境の画像データを有線または無線により転送可能となるようにした監視カメラ（ＩＰカメラ）の画像データとともに環境データを同時に転送できるようにする機能拡張ユニットに関するものである。
【背景技術】
【０００２】
一般に監視カメラは防犯を目的として発展してきたが、インターネット、携帯端末装置などの情報通信技術の進歩に伴って、留守中の家庭の室内に居るペットの状態、傷病者の状態、倉庫管理、工場作業員の安全管理などに採用される傾向にある（例えば、特許文献１参照）。
【０００３】
また近年、大きくなっている社会的問題に熱中症の例があるが、本願の出願人はこの問題への対応策として携帯型健康管理装置を提案した（特許文献２参照）。この特許文献２に開示した携帯型健康管理装置は、温度センサー、湿度センサーからの信号に基づいて罹患確率に対応するインジケータを段階的に発光させ、罹患の確率を一意的に認識できるようにしたものである。
【先行技術文献】
【特許文献】
【０００４】
【特許文献１】特開２０１３−１０９６２３号公報
【特許文献２】実用新案登録第３１７１６９９号公報
【発明の概要】
【発明が解決しようとする課題】
【０００５】
前記特許文献１に開示された技術は、監視対象の動きを学習するようにし、どのような監視対象であってもその状況に応じて正確な通知が可能となるようにしたものであるとされている。このため同文献では、センサー装置により検出された監視対象の動きを示す検出結果を監視対象の動作パターンとしてデータベースに記憶登録し、センサー装置により検出された検出結果に基づいてデータベースを参照して該当する動作パターンに対応する動作内容を携帯端末装置に通知するようにしている。
【０００６】
このように従来の監視カメラから送出される情報は画像データのみであり、受信した画像データを携帯端末装置などのディスプレイに表示し、視認による観念的判断により状況を把握しているのが現状である。ところが、状況の判断には画像情報のみでなく、監視対象の周辺を取り巻く、例えば温度、湿度などの環境データも同時に把握することができれば状況判断はより正確なものとなる。
【課題を解決するための手段】
【０００７】
そこで本発明は、以下に述べる各手段により上記課題を解決するようにした。即ち、請求項１に記載の発明では、屋内外に設置して得られた特定環境の画像データを有線または無線により転送可能となるようにした監視カメラに対し、前記画像データとともに環境データを同時に転送できる監視カメラの機能拡張ユニットとなるようにする。
【０００８】
請求項２に記載の発明では、上記請求項１記載の監視カメラの機能拡張ユニットにおいて、該機能拡張ユニットに温度センサーおよび湿度センサーを備え、環境データとして温度データおよび湿度データが得られるようにし、該温度データおよび湿度データから熱中症指数の生成が可能となるようにする。
【０００９】
請求項３に記載の発明では、上記請求項２に記載の監視カメラの機能拡張ユニットにおいて、該機能拡張ユニットに熱中症指数の生成プログラムを搭載する。
【００１０】
請求項４に記載の発明では、上記請求項１に記載の監視カメラの機能拡張ユニットにおいて、該機能拡張ユニットに温度センサーおよび湿度センサーを備え、環境データとして温度データおよび湿度データが得られるようにし、該温度データおよび湿度データから静電気発生指数の生成が可能となるようにする。
【００１１】
請求項５に記載の発明では、上記請求項４に記載の監視カメラの機能拡張ユニットにおいて、該機能拡張ユニットに静電気発生指数の生成プログラムを搭載する。
【００１２】
請求項６に記載の発明では、上記請求項２または請求項４に記載の監視カメラの機能拡張ユニットにおいて、該機能拡張ユニットの温度センサーおよび湿度センサーがケース仕切板上に配置されているようにする。
【００１３】
請求項７に記載の発明では、上記請求項１に記載の監視カメラの機能拡張ユニットにおいて、該機能拡張ユニットに、風速、照度、二酸化炭素、放射線量を検出できるセンサーの何れかを備えているようにする。
【００１４】
請求項８に記載の発明では、上記請求項１に記載の監視カメラの機能拡張ユニットにおいて、該機能拡張ユニットにＵＳＢコネクタを備え、監視カメラ本体との接続が可能となるようにする。
【００１５】
請求項９に記載の発明では、上記請求項１に記載の監視カメラの機能拡張ユニットにおいて、該機能拡張ユニットにマルチコネクタを備え、監視カメラ本体との接続が可能となるようにする。
【００１６】
請求項１０に記載の発明では、上記請求項１に記載の監視カメラの機能拡張ユニットにおいて、該機能拡張ユニットを延長ケーブルにより監視カメラ本体に接続する。
【発明の効果】
【００１７】
本発明を実施することにより、一般家庭、介護現場はもとより、食品生産工場、製造ラインの職場環境、倉庫、精密部品の製造現場などの画像データとともに大気の温度データ、湿度データなどを同時に転送することができるので、現場の状況判断を正確に行うことができ、熱中症、静電気発生など警告が可能となる。
【００１８】
また、本発明による機能拡張ユニットは監視カメラ本体に着脱可能となるようにしてあるので、機能拡張ユニットのセンサー要素を変更することにより、例えば風速、照度、二酸化炭素、放射線量など検知データを画像データとともに転送することができる。
【００１９】
さらに本発明によれば、機能拡張ユニットと監視カメラ本体を延長ケーブルで接続できるので、機能拡張ユニットを、環境情報を検出するに好適な所望の位置に配置することができる一方、監視カメラを監視位置として好適な位置に配置することができる。
【図面の簡単な説明】
【００２０】
【図１】本発明の機能拡張ユニットを説明するための図である。
【図２】本発明の機能拡張ユニットを監視カメラに取り付けた状態を示す図である。
【図３】本発明の機能拡張ユニットを監視カメラに取り付けた状態を示す図である。
【図４】本発明の機能拡張ユニットの構成を示す分解斜視図である。
【図５】本発明の機能拡張ユニットの電気系統のブロック図である。
【図６】本発明の機能拡張ユニットの発展的構成を示す図である。
【図７】本発明の実施の対象となる監視カメラを示す図である。
【図８】本発明の機能拡張ユニットする監視カメラシステムの構成図である。
【発明を実施するための形態】
【００２１】
以下、本発明の実施の形態を図に基づいて詳細に説明する。まず、本発明の機能拡張ユニットの構成を説明するにあたり、本発明の実施の対象となる監視カメラおよびこの監視カメラを採用した監視システムの基本構成を以下に説明する。
【００２２】
本発明の実施の対象とする監視カメラＩＰＣは、図７に示すように基台ＢＳ上で電動モータにより水平方向に回転するドーム状の中空体ＤＯの内部に、これも電動モータにより垂直方向に回転するレンズユニットＬＳを内蔵し、該レンズユニットＬＳで収録した画像情報をアンテナＡＮＴまたはケーブルで出力するように構成されている。
【００２３】
このように構成されている監視カメラＩＰＣは、室内外の適所に配置する。この監視カメラＩＰＣにより収録された画像データは図８に示すように有線または無線によりルーターに転送される。そして転送された画像データをスタンドアローンで施設内において確認する場合は、前記ルーターにパソコン（ＰＣ）を接続することにより、あるいは携帯端末装置ＭＯのルーターとの交信により可能となる。
【００２４】
一方、前記監視カメラＩＰＣにより収録した画像データを遠隔地で確認する場合は、同図に示すようにインターネット、データ通信網を介してルーターに蓄積した画像データを転送し、パソコンあるいは携帯端末装置ＭＯにより確認することができる。
【００２５】
つぎに、本発明における実施の対象となる監視カメラＩＰＣの構成について説明する。図１は監視カメラＩＰＣの背面の構成を示す図であり、既存の構成、即ち、ＬＡＮケーブルコネクタＢＳ１、外部メモリスロットＢＳ２そして機能拡張ユニットＡのＵＳＢプラグ１が接続されるコネクタスロットＢＳ３を備え、前記ＵＳＢプラグ１をコネクタスロットＢＳ３に差し込むと、図２、図３に示すように機能拡張ユニットＡＴは監視カメラＩＰＣと一体化し、電気的に接続されることになる。なお、本実施例ではＵＳＢプラグの採用を前提としているが、一般的なマルチコネクタを採用してもよい。
【００２６】
つぎに、前記機能拡張ユニットＡＴは、図４に示すように方形状のベースカバー２とフロントカバー３からなり、下端にＵＳＢプラグ１を固定し、主体部分にプリント配線基板４を内蔵する。このプリント配線基板４にはＡ／Ｄ変換素子、ＣＰＵ素子、ＵＳＢ・Ｉ／Ｆ素子を備え、このＵＳＢ・Ｉ／Ｆ素子のインターフェースにより監視カメラＩＰＣとの信号の授受が行われる。
【００２７】
前記プリント配線基板４の上部には温度センサー５および湿度センサー６が接続され、その検出信号が各々のＡ／Ｄ変換素子に入力するようにしている。前記ベースカバー２の上部には複数の通孔２ｂが形成され、フロントカバー３の上部にも複数の通孔３ｂが形成され、ベースカバー２をフロントカバー３で施蓋したとき、温度センサー５および湿度センサー６の周囲に外気が容易に流入するようにしている。なお、本実施例では温度センサー５および湿度センサー６を例示しているが、他のセンサーを採用した場合に同様の効果が得られる。
【００２８】
また、ベースカバー２をフロントカバー３で施蓋したとき、ベースカバー２の仕切板２ａとフロントカバー３の仕切板３ａの開放端部が相互に接触し、両仕切板２ａ、３ａの上部に主体部と隔離された空間が形成されることになる。これにより、主体部のプリント配線基板４の電気部品の発熱の影響を遮断することができ、温度センサー５および湿度センサー６は正確な外気の温度、湿度を検出することができる。なお、主体部の換気を図るため、主体部の適所に通気孔を形成するようにしてもよい。
【００２９】
図５は以上のように構成された本発明の機能拡張ユニットＡＴの回路のブロック構成図であり、温度センサー５により検出された温度データはＡ／Ｄ変換素子に入力し、変換生成されたデジタル信号がＣＰＵ素子に入力する。一方、湿度センサー６により検出された湿度データもＡ／Ｄ変換素子に入力し、変換生成されたデジタル信号がＣＰＵ素子に入力する。
【００３０】
ＣＰＵ素子に入力した各デジタル信号は、ＵＳＢ・ＩＦ素子を介してＵＳＢプラグ１から監視カメラＩＰＣに向けて出力される。前記各デジタル信号を受信した監視カメラＩＰＣは、その時点の温度データ、湿度データを画像データに合成して出力することもできるが、監視カメラＩＰＣ内が温度データ、湿度データから熱中症指数が得られるようにプログラム処理し、例えば「安全」、「危険」、「非常に危険」などのテキスト、あるいはインジケータを合成して出力するようにしてもよい。なお、温度データ、湿度データから静電気発生指数を生成することも可能である。
【００３１】
このような処理プログラムを機能拡張ユニットＡＴのＣＰＵに搭載してテキストデータあるいはインジケータデータを監視カメラＩＰＣに出力するようにしてもよい。また、環境情報の収集を風速、照度、二酸化炭素、放射線量などとした場合は、これに対応する処理プログラムを監視カメラＩＰＣまたは機能処理ユニットＡＴに搭載することになる。
【００３２】
図６は本発明の発展的構成を示すもので、機能拡張ユニットＡＴと監視カメラＩＰＣを延長ケーブル７のＵＳＢコネクタ７ａを機能拡張ユニットＡＴのＵＳＢプラグ１に差し込む一方、延長ケーブル７のＵＳＢプラグ７ｂをコネクタスロットＢＳ３に差し込む。このようにすることにより、機能拡張ユニットＡＴを、環境情報を検出するに好適な所望の位置に配置することができる一方、監視カメラＩＰＣを監視位置として好適な位置に配置することができる。
【００３３】
本発明は以上のように構成されているので、機能拡張ユニットＡＴに任意のセンサーを実装してこれに対応できるプログラムを搭載しておくことにより、所望の機能拡張ユニットＡＴを選択して監視カメラＩＰＣに配設するのみで必要とする環境データの収集が可能となり、汎用性の優れた拡張機能を示すことができる。
【符号の説明】
【００３４】
ＡＴ・・・・・機能拡張ユニット
ＩＰＣ・・・・監視カメラ
１・・・・・・ＵＳＢプラグ
２・・・・・・ベースカバー
２ａ・・・・・仕切板
２ｂ・・・・・通孔
３・・・・・・フロントカバー
３ａ・・・・・仕切板
３ｂ・・・・・通孔
４・・・・・・プリント配線基板
５・・・・・・温度センサー
６・・・・・・湿度センサー
７・・・・・・延長ケーブル
【図１】
2015095754.tif 000003
【図２】
2015095754.tif 000004
【図３】
2015095754.tif 000005
【図４】
2015095754.tif 000006
【図５】
2015095754.tif 000007
【図６】
2015095754.tif 000008
【図７】
2015095754.tif 000009
【図８】
2015095754.tif 000010